(57)【特許請求の範囲】
【請求項１】
電線を筒状の端子に挿入して前記端子の両端部を除いた外周を内側に圧縮することにより前記電線と前記端子とをかしめて接続する電線端子接続方法において、
上下に配置されて前記端子を上下から圧縮面で圧縮するかしめ装置であって、閉じた状態における前記圧縮面の断面形状が正六角形の頂点に対応する６つの頂点を有すると共に各頂点間を前記正六角形の内側に湾曲状に突出させた曲線で接続した星形をなし、前記断面形状の一対の対向する頂点が水平線に位置し、前記圧縮面がアンダーカットが生じないように開放側に開く角度に設定されたかしめ装置で、前記端子を圧縮してかしめるようにしたことを特徴とする電線端子接続方法。
【請求項２】
電線を筒状の端子に挿入して前記端子の両端部を除いた外周を内側に圧縮することにより前記電線と前記端子とをかしめて接続する電線端子接続方法において、
上下に配置されて前記端子を上下から圧縮面で圧縮するかしめ装置であって、閉じた状態における前記圧縮面の断面形状が正六角形の頂点に対応する６つの頂点を有すると共に各頂点間を前記正六角形の内側に突出させた折線で接続した星形をなし、前記断面形状の一対の対向する頂点が水平線に位置し、前記圧縮面がアンダーカットが生じないように開放側に開く角度に設定されたかしめ装置で、前記端子を圧縮してかしめるようにしたことを特徴とする電線端子接続方法。
【発明の詳細な説明】
【０００１】
この発明は、電線と端子とをかしめによって接続する電線端子接続方法に関する。
【０００２】
【従来の技術】
従来より、電線の末端部と端子とをかしめによって接続する電線端子接続構造として、図６に示すものが知られている。端子１は、端子板２と円筒状のスリーブ３とを一体に形成してなり、電線４の導体５をスリーブ３の内部に挿入した状態でスリーブ３の外周が例えば六角形にかしめられることにより、電線４の導体５と結合されるようになっている。図７は、かしめ工程を示す図である。端子１のスリーブ３を同図（ａ）に示すようなかしめ装置６，７で同図（ｂ）のように上下から挟み込んで圧縮することにより、スリーブ３の断面形状は、同図（ｃ）のように、かしめ装置６，７によって規定される六角形状にかしめられる。この電線端子接続方法によれば、かしめによって電気的接続と接続部の機械的強度が得られると共に、電線４の導体５を均一に圧縮することで、安定した接続を得ることができる。
【０００３】
【発明が解決しようとする課題】
しかし、従来の方法では、かしめ前のスリーブ３の外径Ｄがかしめ後のスリーブ３の六角形断面の長径Ｌとなるため、スリーブ３の肉厚ｔと電線４の導体５の断面積とにより圧縮率が決定される。容易に圧縮率を高くする方法としては、スリーブ３の内径と導体５の外径との差（隙間）をできるだけ無くすようにすることが考えられるが、極端に隙間がない場合、電線４の挿入力が大きくなり、撚り線の場合には、素線がはみ出してしまい実用上問題となる。そこで、上下のかしめ装置に突起を設けて圧縮率を高くする方法も考案されているが、六角形の全ての面に突起を設けることは、上下で挟み込む構造の場合、アンダーカットとなるため不可能である。このため、六方向にバランスのとれたかしめ形状とすることはできない。
【０００４】
本発明は、このような問題点を解決するためになされたもので、作業性を損なったり特殊な設備を使用することなく、容易に高い圧縮率が得られ、これにより電気的、機械的な性能を向上させることができる電線端子接続方法を提供することを目的とする。
【０００５】
【課題を解決するための手段】
本発明に係る電線端子接続方法は、電線を筒状の端子に挿入して前記端子の両端部を除いた外周を内側に圧縮することにより前記電線と前記端子とをかしめて接続する電線端子接続方法において、上下に配置されて前記端子を上下から圧縮面で圧縮するかしめ装置であって、閉じた状態における前記圧縮面の断面形状が正六角形の頂点に対応する６つの頂点を有すると共に各頂点間を前記正六角形の内側に湾曲状に突出させた曲線で接続した星形をなし、前記断面形状の一対の対向する頂点が水平線に位置し、前記圧縮面がアンダーカットが生じないように開放側に開く角度に設定されたかしめ装置で、前記端子を圧縮してかしめるようにしたことを特徴とする。
また、本発明に係る電線端子接続方法は、電線を筒状の端子に挿入して前記端子の両端部を除いた外周を内側に圧縮することにより前記電線と前記端子とをかしめて接続する電線端子接続方法において、上下に配置されて前記端子を上下から圧縮面で圧縮するかしめ装置であって、閉じた状態における前記圧縮面の断面形状が正六角形の頂点に対応する６つの頂点を有すると共に各頂点間を前記正六角形の内側に突出させた折線で接続した星形をなし、前記断面形状の一対の対向する頂点が水平線に位置し、前記圧縮面がアンダーカットが生じないように開放側に開く角度に設定されたかしめ装置で、前記端子を圧縮してかしめるようにしたことを特徴とする。
【００１０】
本発明によれば、端子の断面形状が例えば星形のように、正六角形の各頂点間を内側に押没させた形状となるように端子をかしめるようにしているので、従来のかしめ工程と同じ工程を維持しつつ、従来の六角形状のかしめよりも高い圧縮率が得られ、電気的性能及び機械的強度を高めることができる。
【００１１】
なお、端子の断面形状は、頂点間を内側に湾曲させた曲線で接続された星形でも、頂点間を内側に突出させた折線で接続された星形でも良いが、前者の場合には、装置へのダメージが小さく、装置の耐久性を高めることができるという利点があり、後者の場合には、より高い圧縮率が得られるという利点がある。なお、前記端子を、相対向する頂点間を結ぶ線と直交する２方向から圧縮してかしめるようにすると、アンダーカットのない２方向からのかしめが可能になる。
【００１２】
【発明の実施の形態】
以下、添付の図面に基づき、本発明の好ましい実施の形態について説明する。図１は、本発明の第１の実施例に係る電線端子接続構造を示す図で、同図（ａ）は外観斜視図、同図（ｂ）はスリーブの断面図である。
端子１１は、端子板１２と円筒状のスリーブ１３とを一体に形成してなり、電線１４の導体１５をスリーブ１３の内部に挿入した状態でスリーブ１３の外周が星形断面となるようにかしめられることにより、電線１４の導体１５と結合されている。この実施例では、スリーブ１３の断面形状が、頂点間を内側に湾曲させた曲線で接続した６つの頂点を有する星形形状となっている。
【００１３】
図２は、本発明の第２の実施例に係る電線端子接続構造のスリーブの断面形状を示す断面図である。この実施例では、スリーブ２１の断面形状が、頂点間を内側に突出させた折線で接続した６つの頂点を有する星形形状となっている。
【００１４】
図３は、上記第１の実施例と第２の実施例にそれぞれ対応した電線端子接続方法及び装置を説明するための図である。
同図（ａ）は第１の実施例に対応する。かしめ装置３１，３２は、上下に配置されてスリーブ１３を上下から圧縮する。かしめ装置３１，３２のスリーブ１３を圧縮する圧縮面３３，３４の断面形状は、アンダーカットが生じないように、対向する頂点を水平線に一致させた形状となっている。このかしめ装置３１，３２は、圧縮面３３，３４の断面形状が、頂点間を外側に湾曲した曲線でつないだ星形形状となっているので、スリーブ１３をかしめたときのダメージが少なく、耐久性が高いという利点がある。
【００１５】
同図（ｂ）もこれと同様に、かしめ装置３５，３６によりスリーブ２１を上下から圧縮する。圧縮面３７，３８の断面形状も、アンダーカットが生じないように、頂点間をつなぐ折線の対向する辺が平行よりも開放側に開く角度で且つ対向する頂点を水平線に一致させた形状となっている。
【００１６】
かしめによる圧縮率は、接続する電線１４の導体１５の径やスリーブ１３，２１の肉厚によるが、仮にスリーブと導体とを合わせた直径Ｄの同一材料による均一に圧縮される丸棒を想定し、かしめ前の断面積をＳ１、長径Ｄの正六角形（従来例）にかしめた場合の断面積をＳ２、長径Ｄの曲線星形（第１実施例）にかしめた場合の断面積をＳ３、長径Ｄの折線星形（第２実施例）にかしめた場合の断面積をＳ４とすると、Ｓ１，Ｓ２，Ｓ３，Ｓ４は、それぞれ次のようになる。
【００１７】
【数１】
Ｓ１＝π×Ｄ2／４
Ｓ２＝３√３×Ｄ2／８
Ｓ３＝（３√３−π）×Ｄ2／４
Ｓ４＝√３×Ｄ2／４
【００１８】
したがって、従来例のかしめ方法によれば圧縮率がＳ２／Ｓ１＝０．８２７、第１実施例では圧縮率がＳ３／Ｓ１＝０．６５４、第２実施例では圧縮率がＳ４／Ｓ１＝０．５５１となり、従来方式の８２．７％に対し、第１実施例では６５．４％、第２実施例では５５．１％まで圧縮率を高めることができる。
【００１９】
上述した実施例によれば、従来と作業工程は何ら変わらないので、作業性を些かも低下させることなく、電気的性能及び機械的強度を高めることができる。また、装置の圧縮面の曲率、突出量等の形状を変えることで、圧縮率を任意に変えることができるので、同一端子で異なるサイズの電線をかしめることができる。このため、端子の共通化によって、端子の大量生産によるコスト低減を図ることができる。
【００２０】
なお、上述した実施例では、電線の末端部の端子に本発明の電線端子接続構造を適用したが、本発明は、筒状の端子一般と電線との接続に適用することができる。例えは図４は、２本の電線４１，４２を接続する突き合わせジョイント４３に本発明を適用した例であり、この場合にも、一対のスリーブ４４，４５と電線４１，４２との接続に、星形断面となるようなかしめを行っている。
【００２１】
また、上述した実施例では、端子の断面形状が６つの頂点を持つ星形形状であったが、頂点の数は特にこれに限定されるものではない。例えば図５（ａ）のように、４つの頂点を有する星形形状や、同図（ｂ）のように８つの頂点を持つ星形形状であっても良い。また、本発明は、同図（ｃ）に示すように、星形断面形状の頂点部分が完全な頂点ではなく、円筒形の外周部分が僅かに残っているような星形形状でも良い。
【００２２】
以上述べたように本発明によれば、端子の断面形状が星形のように正六角形の各頂点間を内側に押没させた形状となるように端子をかしめるようにしているので、従来のかしめ工程と同じ工程を維持しつつ、従来の六角形状のかしめよりも高い圧縮率が得られ、電気的性能及び機械的強度を高めることができるという効果を奏する。
【図面の簡単な説明】
【図１】  本発明の第１の実施例に係る電線端子接続構造を示す斜視図及び断面図である。
【図２】  本発明の第２の実施例に係る電線端子接続構造を示す断面図である。
【図３】  本発明の第１及び第２の実施例のかしめ工程と装置を説明するための図である。
【図４】  本発明の第３の実施例に係る電線端子接続構造を示す斜視図である。
【図５】  本発明の更に他の実施例に係る電線端子接続構造を示す断面図である。
【図６】  従来の電線端子接続構造を示す斜視図である。
【図７】  従来の電線端子接続方法を説明するための図である。
【符号の説明】
１，１１…端子、２，１２…端子板、３，１３，２１，４５，４６…スリーブ、４，１４，４１，４２…電線、５，１５…導体、６，７，３１，３２，３５，３６…かしめ装置、４３…突き合わせジョイント。
【図１】
0004188540.tif 000002
【図２】
0004188540.tif 000003
【図３】
0004188540.tif 000004
【図４】
0004188540.tif 000005
【図５】
0004188540.tif 000006
【図６】
0004188540.tif 000007
【図７】
0004188540.tif 000008